(57)【要約】      （修正有）【課題】パレット洗浄室底部に噴流調整室を設けパレット洗浄室と噴流調整室を仕切る多孔製仕切り板を備えたことにより噴流調整室に洗浄液あるいは水をポンプで加圧注入しパレット洗浄室の底部全体から噴流させ強い上昇水流を発生させる洗浄室全体をパレットに対する洗浄範囲とする洗浄液加圧噴流丸洗いあるいは水加圧噴流丸洗い手段を設けた、浸水式加圧循環洗浄機を提供する。【解決手段】パレット洗浄室２の底部全体に配置し洗浄液あるいは水からなる流体９の噴流浸水を行う噴流調整室３の、天井に設けた多孔製仕切り板３ａと、洗浄室２から溢れた流体９を流体収容漕４へ回収する流体回収通路２ａと、パレット洗浄室２と流体回収通路２ａを貫通する排水口３ｂを開閉する開閉引戸３ｃとで構成されている。【選択図】図２
0003182194.tif 000002
【実用新案登録請求の範囲】
【請求項１】
洗浄液あるいは水からなる流体を洗浄室の底部全体に配置した噴流調整室の天井に設けた多孔製仕切り板を通し洗浄室へ噴流浸水する流体伝達手段と、前記流体を流体回収通路を通し流体収容漕へ回収される流体循環手段と、前記流体を洗浄室から流体収容漕へ早期回収するため洗浄室最下部と流体回収通路を直結する開閉引戸付き排水口を設けた流体排出手段と、パレットを収容する洗浄室と、前記流体を収容する流体収容漕と、前記流体伝達手段を有するポンプを収容するポンプ収容室と、外部コンプレッサーに連結しエアータイマーを備えた圧搾空気制御室からなる浸水式加圧循環洗浄機。
【考案の詳細な説明】
【技術分野】
【０００１】  本考案は、プリント基板に半導体・ＬＥＤ・電子部品を実装する為のハンダ槽ハンダ付けに使用される搬送治具をパレットと称している。このフラックス残渣が付着したパレットに対してパレット洗浄室に溜めた洗浄液の加圧循環による洗浄あるいは水の加圧循環によるすすぎ洗浄を行う洗浄機において、洗浄液あるいは水の吸入・吐出を行う流体制御手段であるポンプの駆動源がエアーとしたこと、パレット洗浄室に溜めた洗浄液あるいは水が一定量溜まるとパレット洗浄室最上部から溢れだし、パレット洗浄室と併設した流体回収通路から流体収容漕へ落下排出されること、流体収容漕からパレット洗浄室底部に設けた噴流調整室に洗浄液あるいは水をポンプで加圧注入し、パレット洗浄室と噴流調整室を仕切る多孔製仕切り板を介して加圧噴流すること、洗浄終了後パレット洗浄室に満ちた洗浄液あるいは水をパレット洗浄室下部に設けた開閉引戸で一気に流体収容漕に落下収容する手段を設けた浸水式加圧循環洗浄機に関するものである。
【背景技術】
【０００２】  プリント基板に半導体・ＬＥＤ・電子部品を実装する為のハンダ槽ハンダ付けに使用されたフラックス残渣の付着したパレットに対してノズルの洗浄液吹きかけによる洗浄を行う洗浄機は、パレットを載置するための架台と、パレットに対して上方から洗浄液を吹きかけるための円筒形状ノズルと、パレットを洗浄した後の洗浄液を、貯蔵タンク・ポンプを介して、循環させるための洗浄液循環装置を備えており、円筒形状ノズルの洗浄液吹きかけでパレット洗浄を行う。この装置は、パレットに対する洗浄において、円筒形状ノズルの洗浄液吹きかけにより洗浄を行うための洗浄機である。【０００３】  例えば、特開２００８−２９６０８５号公報によれば、パレットを載置するための架台と、パレットに対して上方から洗浄液を吹きかけるための円筒形状ノズルと、パレットを洗浄した後の洗浄液を、貯蔵タンク・ポンプを介して、循環させるための洗浄液循環装置を備えている洗浄機が開示されている。この洗浄機では、上方から円筒形状ノズルにより、その下の架台に載置されたパレットに洗浄液を吹きかけパレットの洗浄を行う。そして架台の下方にパレットを洗浄した後の洗浄液をろ過するためのシート状ろ過材を設けている。その下に貯蔵タンク・ポンプからなる洗浄液循環装置を設け、洗浄液を循環しながらパレットを洗浄している。つまり、この洗浄機では上方から円筒形状ノズルによる洗浄範囲が限定される為、複雑な形状からなる基板固定具や電子部品固定具で構成されたパレットの全体を洗浄範囲としてカバー出来ず、パレットに付着したフラックス残渣が除去されない部分を生じてしまうことになる。【０００４】  一般にプリント基板に半導体・ＬＥＤ・電子部品を実装する為のハンダ槽ハンダ付けに使用されたフラックス残渣の付着した、複雑な形状からなる基板固定具や電子部品固定具で構成されたパレットに対して円筒形状ノズルの洗浄液吹きかけによる洗浄を行う洗浄機は、上方から円筒形状ノズルによる洗浄範囲が限定される為、この洗浄機で洗浄された洗浄範囲がパレット全体をカバー出来ず、パレットに付着したフラックス残渣が除去されない部分を生じてしまうという問題があった。
【先行技術文献】
【特許文献】
【０００５】
【特許文献１】特開２００８−２９６０８５号公報
【考案の概要】
【考案が解決しようとする課題】
【０００６】  プリント基板に半導体・ＬＥＤ・電子部品を実装する為のハンダ槽ハンダ付けに使用されたフラックス残渣の付着したパレットに対して円筒形状ノズルの洗浄液吹きかけによる洗浄を行う洗浄機として、パレットを載置するための架台と、パレットに対して上方から洗浄液を吹きかけるための円筒形状ノズルと、パレットを洗浄した後の洗浄液を、貯蔵タンク・ポンプを介して、循環させるための洗浄液循環装置を備えている洗浄機が開示されている。この洗浄機は、上方から円筒形状ノズルにより、その下の架台に載置されたパレットに洗浄液を吹きかけパレットの洗浄を行う。そして架台の下方にパレットを洗浄した後の洗浄液をろ過するためのシート状ろ過材を設けている。その下に貯蔵タンク・ポンプからなる洗浄液循環装置を設け、洗浄液を循環しながらパレットを洗浄している。つまり、この洗浄機の上方から洗浄液を吹きかけるための円筒形状ノズルにより洗浄されたパレットは、この円筒形状ノズルの洗浄範囲が限定される為パレット全体を洗浄範囲としてカバー出来ず、パレットに付着したフラックス残渣が除去されない部分を生じてしまうことになる。【０００７】  本考案は、上記課題に鑑みてなされたものであり、その目的は、フラックス残渣の付着したパレットを載置したパレット洗浄室内の底部に設けた噴流調整室に、洗浄槽外側下部に設けた流体収容漕からポンプで洗浄液あるいは水を加圧注入し、噴流調整室の天井に設けた多孔製仕切り板を通して噴流させパレット洗浄室を満たし、溢れた分量をパレット洗浄室に併設した流体回収通路を通し流体収容漕に落下回収する浸水式循環洗浄でパレット全体をくまなく洗浄する加圧噴流手段を備えた浸水式加圧循環洗浄機を提供することである。
【課題を解決するための手段】
【０００８】  本考案の浸水式加圧循環洗浄機はパレット洗浄室内に載置されたパレット全体を加圧噴流して洗浄するため、底部に噴流調整室を設けたパレット洗浄室と、パレット洗浄室外側下部に洗浄液あるいは水からなる流体を収容する流体収容漕と、パレット洗浄室と併設し流体収容漕へ落下回収する流体回収通路と、流体収容漕の外側下部に敷設したポンプ収容室と、洗浄機本体の右側面にエアー伝達時間を制御する伝達時間制御手段を有するエアー制御室と、ポンプ収容室に洗浄液あるいは水の吸入・吐出を行う流体制御手段であるポンプの駆動源がエアーとしたポンプと、エアー制御室を介してポンプまでのエアーの供給を伝達するエアーホースと、洗浄液あるいは水の吸込みを伝達する吸入ホースと、洗浄液あるいは水の吐出を伝達する吐出ホースで構成されている。
【考案の効果】
【０００９】  本考案の浸水式加圧循環洗浄機は、パレットに対する洗浄液の加圧噴流による丸洗い洗浄あるいは水の加圧噴流による丸洗いすすぎ洗浄をパレット洗浄室の底部全体に配置した噴流調整室と噴流調整室の天井に設けた多孔製仕切り板、例えばパンチメタルを通し噴流浸水を循環する手段によって行うことで、フラックス残渣の付着した複雑な形状からなる基板固定具や電子部品固定具で構成されたパレットに対する洗浄範囲がパレット全体をカバー出来るのでパレットからフラックス残渣を完全に除去できる。また、パレット洗浄後パレット洗浄室下部とパレット洗浄室に併設した流体回収通路の下部に設けた排水口の開閉引戸をあけることでパレット洗浄室内の洗浄液あるいは水を短時間で通し流体収容漕に落下回収でき、効率よくパレットを取り出せることになる。
【図面の簡単な説明】
【００１０】
【図１】  本考案の実施の形態における加圧循環手段作動時の浸水式加圧循環洗浄機を概略的に示した正面の断面図である。
【図２】  本考案の実施の形態における流体循環手段を概略的に示した右側面の断面図である。
【図３】  本考案の実施の形態における流体回収手段を概略的に示した右側面の断面図である。
【図４】  比較例におけるパレット洗浄機の説明をするために概略的に示した図である。
【考案を実施するための形態】
【００１１】以下、本考案の実施の形態について図に基づいて説明する。
（実施の形態）
本考案の実施の形態の構成について説明する。
【００１２】  図１では、本考案の浸水式加圧循環洗浄機は、洗浄機本体１の最上部に設けたパレット洗浄室２とパレット洗浄室２の直下に設けた噴流調整室３と噴流調整室３の直下に設けた流体収容漕４と洗浄機本体１の最下部に施設し、外部コンプレッサーに連結し、エアータイマーを備えたエアー制御室７でコントロールされるポンプ６を収容するポンプ収容室５からなる構成で、ポンプ６から加圧吐出された洗浄液あるいは水からなる流体９を噴流調整室３と噴流調整室３の天井に設けた多孔製仕切り板３ａの貫通穴を通しパレット洗浄室２に加圧噴流する噴流循環手段作動時が図示されている。また図２では、ポンプ６で加圧吐出された流体９が噴流調整室３の天井に設けた多孔製仕切り板３ａの貫通穴を通して噴流し、パレット洗浄室２を満たし、溢れた分量を流体回収通路２ａを通し流体収容漕４へ回収される手段が図示されている。図３では、洗浄作業終了時に流体で満たされたパレット洗浄室２から洗浄液あるいは水からなる流体９をすばやく排水するために設けた開閉引戸３ｃを引き上げ、排水口３ｂから流体９を落下回収する手段が図示されている。
【００１３】  図１に示されている様に、洗浄機本体１の上下の中間部に流体収容漕４を設けている。この流体収容漕４に収容されている洗浄液あるいは水からなる流体９を流体収容漕４の底部に設置されたストレーナー４ａから流体収容漕４の外側下部に敷設したポンプ収容室に収容されたポンプ６に吸入ホース６ａで吸入し、吐出ホース６ｂを通して加圧吐出し、フラックス残渣が付着したパレット８を載置したパレット洗浄室２の底部全体に配置した噴流調整室３に送られる、加圧された流体９は噴流調整室３の天井に設けた多孔製仕切り板３ａを通しパレット洗浄室２へ噴流浸水し洗浄を開始する、その後パレット洗浄室２を満たし溢れた流体９が流体回収通路２ａ（図２参照）を通し流体収容漕４へ回収される。次に動作のエアーの流れについて説明する。外部コンプレッサーに連結しエアータイマー７ａを備えたエアー制御室７で、エアーホース７ｂを通しポンプ６がコントロールされている。次に動作の流体の流れについて説明する。本図における洗浄液あるいは水からなる流体９をハッチングで表している。又、流体９の移動方向を矢印１０で示している。流体収容漕４に収容された流体９をストレーナー４ａと接続された吸入ホース６ａを通しポンプ６が吸引している、又ポンプ６から吐出ホース６ｂに接続された第１継ぎ手６ｃをへて継ぎ手ホース６ｄから第２継ぎ手６ｅを通し噴流調整室３に加圧注入された流体９は、噴流調整室３の天井に設けた多孔製仕切り板３ａを通しパレット洗浄室２へ加圧噴流し浸水する、満たされた洗浄室２から溢れた流体９は洗浄室２に併設された流体回収通路２ａ（図２参照）に流れ落ち流体収容漕４へ回収される、このように加圧噴流する流体９はフラックス残渣が付着したパレット８をくまなく洗浄しパレット洗浄室２に載置したパレット８全体に対する洗浄範囲をカバーができるので、パレット８に付着したフラックス残渣が完全に除去されることになる。
【００１４】  図２に示されている様に、洗浄液あるいは水からなる流体９がストレーナー４ａから吸入ホース６ａを通りポンプ６へ吸入され、吐出ホース６ｂを通過し噴流調整室３に収容される。この噴流調整室３の天井に設けた多孔製仕切り板３ａを通しパレット洗浄室２へ加圧噴流し浸水する。洗浄室２から溢れた流体９は洗浄室２に併設された流体回収通路２ａに流れ落ち流体収容漕４へ回収される。パレット洗浄室２に載置したパレット８（図１参照）の底全体から加圧噴流して洗浄あるいはすすぎ洗浄を行う。また蓋部１ａの開閉は、取手１ｂを持って行う。
【００１５】  図３に示されている様に、洗浄終了後パレット洗浄室２に満ちた洗浄液あるいは水からなる流体９を流体収容漕４へ早期回収するため、パレット洗浄室２と洗浄室２に併設された流体回収通路２ａの下部を貫通する排水口３ｂを設け、排水口３ｂをパレット洗浄室２の内側で仕切り、開閉引戸押さえ３ｄで保持される開閉引戸３ｃを設置している。洗浄室２に満ちた流体９をこの開閉引戸３ｃを引き上げ一気に流体収容漕４に落下収容することが可能となっている。
【００１６】  次に、本実施の形態の作用効果について比較例と比較して説明する。
図４に示されている様に、比較例は、本実施の形態と比較して、パレットを載置するための架台４１と、パレットに対して上方から洗浄液を吹きかけるための円筒形状ノズル４２と、パレットを洗浄した後の洗浄液４３を、貯蔵タンク４４を介して、循環させるための洗浄液循環装置４６を備えている。この洗浄機４０では、上方から円筒形状ノズル４２により、その下の架台４１に載置されたパレットに洗浄液４３を吹きかけパレットの洗浄を行う。そして架台４１の下方にパレットを洗浄した後の洗浄液をろ過するためのシート状ろ過材４７を設けている。その下に貯蔵タンク４４・ポンプ４５からなる洗浄液循環装置４６を設け、洗浄液４３を循環しながらパレットを洗浄している。このように、洗浄機４０の上方から洗浄液４３を吹きかけるための円筒形状ノズル４２により洗浄する方式ではこの円筒形状ノズル４２の洗浄範囲が限定される為、パレット全体に対する洗浄範囲をカバーできず、パレットに付着したフラックス残渣が除去されない部分を生じてしまうことになる。又、洗浄範囲が限定されるかけ流しのため多くの洗浄時間を要していた。
【００１７】  これに対して、本実施の形態によれば、本考案の浸水式加圧循環洗浄機は、パレット洗浄室２に載置したパレット８に対する洗浄液あるいは水からなる流体９の加圧噴流による丸洗い洗浄あるいは水の加圧噴流による丸洗いすすぎ洗浄を、パレット洗浄室２の底部全体に配置した噴流調整室３と噴流調整室３の天井に設けた多孔製仕切り板３ａ、例えばパンチメタルを通しパレット８の底部全体から噴流浸水を循環する手段によって行うことで、フラックス残渣の付着した複雑な形状からなる基板固定具や電子部品固定具で構成されたパレット８に対する洗浄範囲がパレット８全体をカバー出来るのでパレット８からフラックス残渣を完全に除去できる。又、強水流による丸洗い洗浄を可能としたことで洗浄時間の短縮が見込まれる。
【産業上の利用可能性】
【００１８】  本考案は、パレットに対する洗浄液の吹きかけによる洗浄および水の吹きかけによるすすぎ洗浄を行う洗浄機に特に有利に適用され得る。
【符号の説明】
【００１９】  １  本体、１ａ  本体蓋、１ｂ  本体蓋用取っ手、２  パレット洗浄室、２ａ  流体回収通路、３  噴流調整室、３ａ  多孔製仕切り板、３ｂ  排水口、３ｃ  開閉引戸、３ｄ  開閉引戸押さえ、４  流体収容漕、  ４ａ  ストレーナー、５  ポンプ収容室、６  ポンプ、６ａ  吸入ホース、６ｂ  吐出ホース、６ｃ  第１継手、６ｄ  継手ホース、６ｅ  第２継手、７  エアー制御室、７ａ  タイマー、７ｂ  エアーホース、８  パレット、９  洗浄液あるいは水からなる流体（図中ハッチングで示す）、１０  矢印（流体９の移動方向を示す）、４０  洗浄機、４１  架台、４２  円筒形状ノズル、４３  洗浄液、４４  貯蔵タンク、４５  ポンプ、４６  洗浄液循環装置、４７  シート状ろ過材、
【図１】
0003182194.tif 000003
【図２】
0003182194.tif 000004
【図３】
0003182194.tif 000005
【図４】
0003182194.tif 000006